(57)【要約】【課題】上下方向の小型化を図ることのできる蓄冷装置を提供するとともに、スペーサの配置を間違うことによる組立不良の減少を図ることのできる蓄冷装置を提供する【解決手段】前方の各連結部材１８を各伝熱ケース１１の前端よりも前方に配置し、後方の各連結部材１８を各伝熱ケース１１の後端よりも後方に配置したので、各連結部材１８の配置スペースが各伝熱ケース１１の上方または下方に位置することがなく、装置全体の高さ寸法Ｈを大幅に小さくすることができる。また、各伝熱ケース１１を保持する保持部材１３を固定部材１４を介して各側板１７に固定することにより、各伝熱ケース１１から延びる各取付片１６ｂのみを各連結部材１８に組付けるようにしたので、連結部材１８に挿入されるスペーサの種類及び数量を少なくすることができる。【選択図】  図７
2004293923.tif 000002
【特許請求の範囲】
【請求項１】
互いに幅方向に間隔をおいて配置された複数の伝熱ケースと、各伝熱ケース内に収納された蓄冷材と、幅方向両側の伝熱ケースの側方にそれぞれ配置された一対の側板と、各側板を互いに連結する複数の連結部材とを備え、各連結部材を伝熱ケースの前後方向一端側及び他端側にそれぞれ配置した蓄冷装置において、
前記一端側の連結部材を伝熱ケースの前端よりも前方に配置し、他端側の連結部材を伝熱ケースの後端よりも後方に配置した
ことを特徴とする蓄冷装置。
【請求項２】
前記各伝熱ケースの下端側をそれぞれ保持する複数の保持部材を備え、
各保持部材を各側板に連結された固定部材に固定し、
各連結部材には各伝熱ケース側から延びる取付部を貫通させるとともに、
各取付部の間隔を連結部材に挿入された筒状のスペーサによって保持するようにした
ことを特徴とする請求項１記載の蓄冷装置。
【発明の詳細な説明】
【０００１】
【発明の属する技術分野】
本発明は、例えば冷凍または冷蔵食品等を輸送するための保冷庫に搭載される蓄冷装置に関するものである。
【０００２】
【従来の技術】
従来、冷凍または冷蔵食品等の輸送に用いられる保冷庫としては、移動可能に構成された断熱構造の保冷庫内の下部に蓄冷装置を搭載し、蓄冷装置によって庫内を長時間低温状態に保持するようにしたものが知られている（例えば、特許文献１参照。）。
【０００３】
この保冷庫に用いられる蓄冷装置としては、互いに幅方向に間隔をおいて配置された複数の伝熱ケースと、各伝熱ケース内に収納された蓄冷材と、幅方向両側の伝熱ケースの側方にそれぞれ配置された一対の側板と、各側板を互いに連結する複数の連結部材とを備え、各連結部材を伝熱ケースの前後方向一端側及び他端側にそれぞれ配置したものが知られている（例えば、特許文献２参照。）。
【０００４】
【特許文献１】
特開平９−２６９１７４号公報
【特許文献２】
特開平９−２７３８４４号公報
【０００５】
【発明が解決しようとする課題】
しかしながら、従来の蓄冷装置では、各側板に連結される連結部材が各伝熱ケースの下方に配置されているため、装置全体の高さが伝熱ケースの上下寸法に連結部材の配置スペースを加えた寸法となり、装置本体が上下方向に大型化するという問題点があった。このため、蓄冷装置を保冷庫の下部に配置した場合、庫内の収納スペースが上下方向に小さくなり、収納効率を低下させていた。
【０００６】
また、従来の蓄冷装置では、各側板を連結する連結部材に各伝熱ケース及び冷却管を保持する多種類の支持板を取付けるとともに、各支持板の間隔を連結部材に挿入したスペーサによって保持しているが、例えば側板と伝熱ケースとの間、伝熱ケース用の支持板と冷却管用の支持板との間、伝熱ケース用の支持板同士の間は、それぞれ各支持板の間隔が互いに異なっており、スペーサもこれらの間隔に対応した長さの多種類のものが必要となる。このため、スペーサの配置を間違うことによる組立不良が発生する場合が多く、このような場合は分解して再度組立直さなければならないため、生産性を低下させるという問題点があった。
【０００７】
本発明は前記問題点に鑑みてなされたものであり、その目的とするところは、上下方向の小型化を図ることのできる蓄冷装置を提供することにある。また、他の目的とするところは、前記目的に加え、スペーサの配置を間違うことによる組立不良の減少を図ることのできる蓄冷装置を提供することにある。
【０００８】
【課題を解決するための手段】
本発明は前記目的を達成するために、請求項１では、互いに幅方向に間隔をおいて配置された複数の伝熱ケースと、各伝熱ケース内に収納された蓄冷材と、幅方向両側の伝熱ケースの側方にそれぞれ配置された一対の側板と、各側板を互いに連結する複数の連結部材とを備え、各連結部材を伝熱ケースの前後方向一端側及び他端側にそれぞれ配置した蓄冷装置において、前記一端側の連結部材を伝熱ケースの前端よりも前方に配置し、他端側の連結部材を伝熱ケースの後端よりも後方に配置している。これにより、各連結部材が伝熱ケースの前端よりも前方に配置され、伝熱ケースの後端よりも後方に配置されることから、各連結部材の配置スペースが各伝熱ケースの上方または下方に位置することがない。
【０００９】
また、請求項２では、請求項１記載の蓄冷装置において、前記各伝熱ケースの下端側をそれぞれ保持する複数の保持部材を備え、各保持部材を各側板に連結された固定部材に固定し、各連結部材には各伝熱ケース側から延びる取付部を貫通させるとともに、各取付部の間隔を連結部材に挿入された筒状のスペーサによって保持するようにしている。これにより、請求項１の作用に加え、各伝熱ケースを保持する保持部材が固定部材を介して各側板に固定され、各伝熱ケースから延びる各取付片のみが各連結部材に組付けられることから、各連結部材に挿入されるスペーサの種類及び数量が少なくなる。
【００１０】
【発明の実施の形態】
図１乃至図７は本発明の一実施形態を示すもので、図１は本発明の蓄冷装置を備えた保冷庫の側面断面図、図２は蓄冷装置の斜視図、図３はその分解斜視図、図４はその要部分解斜視図、図５は伝熱ケースの分解正面断面図、図６は伝熱ケースの正面断面図、図７は蓄冷装置の要部断面側面図である。
【００１１】
図１に示す保冷庫は、前面を開口した断熱性の保冷庫本体１を備え、保冷庫本体１内に収納した任意の物品を冷却するように構成されている。
【００１２】
保冷庫本体１は前面開口部を開閉する断熱性の扉１ａを有し、保冷庫本体１の下面には移動用のキャスタ１ｂが取付けられている。また、保冷庫本体１の上部には機械室１ｃが設けられている。保冷庫本体１内の底面側及び背面側には仕切板１ｄによって庫内側と仕切られた通風路１ｅが設けられており、通風路１ｅの一端側は庫内の下部前端側に開口し、その他端側は庫内の背面側上部に開口している。また、通風路１ｅの他端側には庫内空気循環用の送風機２が設けられている。
【００１３】
機械室１ｃ内には、圧縮機３、凝縮器４及び凝縮器用送風機５等の冷凍機器が収容されており、圧縮機３及び凝縮器４は後述する蓄冷装置１０に冷凍回路を介して接続されている。
【００１４】
通風路１ｅ内には、本実施形態の蓄冷装置１０が収容されており、通風路１ｅ内を流通する空気を蓄冷装置１０によって冷却するようになっている。
【００１５】
蓄冷装置１０は、互いに幅方向に間隔をおいて配置された複数の伝熱ケース１１と、各伝熱ケース１１内に収納された蓄冷材１２と、各伝熱ケース１１を着脱自在に保持する複数の保持部材１３と、各保持部材１３を固定する前後一対の固定部材１４と、蓄冷材１２を冷却する冷却管１５と、冷却管１５と蓄冷材１２とを熱的に接触させるに熱伝導板１６と、幅方向両側の伝熱ケース１１の側方にそれぞれ配置された一対の側板１７と、各側板１７を互いに連結する複数の連結部材１８とからなる。
【００１６】
各伝熱ケース１１は互いに結合可能な一対の伝熱板１１ａ，１１ｂからなり、各伝熱板１１ａ，１１ｂはアルミニウム等の伝熱性部材によって前後方向に長く形成されている。各伝熱板１１ａ，１１ｂの上端及び下端はそれぞれ内側に折り曲げられており、一方の伝熱板１１ａの上端部は他方の伝熱板１１ｂの上端側に設けたコ字状の係合片１１ｃによって覆われるようになっている。
【００１７】
蓄冷材１２は可撓性を有する袋体にゾル状またはゲル状の蓄冷物質を収容したもので、例えば所定の大きさに形成された市販品を用いることができる。
【００１８】
各保持部材１３は断面略コ字状に形成され、その幅方向両端に形成した一対の係止片１３ａ，１３ｂ間に伝熱ケース１１を挟持するようになっている。この場合、各係止片１３ａ，１３ｂの上端側は外側に向かって斜め上方に屈曲するように形成されるとともに、一方の係止片１３ａは他方の係止片１３ｂよりも上方に長く形成されている。また、図６に示すように一方の係止片１３ａの上下方向の長さＬ１  は、伝熱板１１ａの係合片１１ｃの上下方向の長さＬ２  よりも長くなっている。
【００１９】
各固定部材１４は各保持部材１３の幅方向に延びる板状部材からなり、各保持部材１３の前端側及び後端側にそれぞれ配置されている。各固定部材１４には各保持部材１３が溶接またはリベット等によって固定されており、その幅方向両端には上方に屈曲する連結部１４ａが形成され、連結部１４ａはネジ１４ｂによって側板１７に固定されるようになっている。
【００２０】
冷却管１５は銅管等の伝熱性のパイプからなり、その一部を各伝熱ケース１１内に上下に間隔をおいて配置されている。伝熱ケース１１内における冷却管１５の一端側はＵ字状に屈曲するように形成され、その他端側は隣り合う他の伝熱ケース１１側に延びている。各伝熱ケース１１に亘って形成された冷却管１５は前記冷凍回路に接続され、冷凍回路の低温冷媒を流通するようになっている。
【００２１】
熱伝導板１６は伝熱ケース１１よりも若干小さい略長方形状に形成され、各伝熱板１１ａ，１１ｂ間の中央に配置されるようになっている。熱伝導板１６には冷却管１５を係合する上下一対の係合部１６ａが設けられ、各係合部１６ａは冷却管１５の外周面の略半分に沿って湾曲するように形成されている。また、熱伝導板１６の前後方向両端には上下一対の取付片１６ｂが設けられ、各取付片１６ｂには連結部材１８を挿通する孔１６ｃが設けられている。
【００２２】
各側板１７は伝熱ケース１１よりも若干大きい略長方形状に形成され、その前後方向両端には外側に折り曲げられた屈曲部１７ａが形成されている。
【００２３】
各連結部材１８は各伝熱ケース１１の幅方向に延びる棒状部材からなり、その両端側にはネジ部１８ａが形成されている。各連結部材１８は各側板１７の前端側及び後端側に上下一対ずつ配置され、各熱伝導板１６の各取付片１６ｂを貫通するとともに、各ネジ部１８ａに螺合するナット１８ｂによって各側板１７に連結されている。この場合、前方の各連結部材１８は各伝熱ケース１１の前端よりも前方に配置され、後方の各連結部材１８は各伝熱ケース１１の後端よりも後方に配置されている。また、連結部材１８には各熱伝導板１６の取付片１６ｂ及び各側板１７間にそれぞれ配置された円筒状の複数のスペーサ１８ｃ，１８ｄが挿入されている。即ち、一方のスペーサ１８ｃによって各熱伝導板１６間がそれぞれ所定間隔に保持され、他方のスペーサ１８ｃによって幅方向両側の熱伝導板１６と各側板１７との間が所定間隔に保持されている。この場合、一方のスペーサ１８ｃは他方のスペーサ１８ｄよりも長く形成されている。
【００２４】
前記蓄冷装置１０においては、各伝熱ケース１１内に蓄冷材１２が収容され、各伝熱ケース１１はそれぞれ各保持部材１３によって互いに幅方向に間隔をおいて保持される。即ち、各伝熱ケース１１は、図６に示すように一方の伝熱板１１ａを熱伝導板１６の一側方に配置してから他方の伝熱板１１ｂを熱伝導板１６の他側方に挿入し、他方の伝熱板１１ｂの係合片１１ｃを一方の伝熱板１１ａの上端部に係合するとともに、各伝熱板１１ａ，１１ｂの下端側を保持部材１３の各係止片１３ａ，１３ｂ間に圧入することにより、伝熱ケース１１が蓄冷装置１０に組付けられる。その際、一方の係止片１３ａの上下方向の長さＬ１  は、伝熱板１１ａの係合片１１ｃの上下方向の長さＬ２  よりも長く形成されているので、他方の伝熱板１１ｂの係合片１１ｃを一方の伝熱板１１ａの上端側に係合する前に他方の伝熱板１１ｂの下端側を保持部材１３の係止片１３ａに係止することができ、各伝熱板１１ａ，１１ｂの組付けが容易になる。また、蓄冷材１２は可撓性を有するため、各伝熱ケース１１内において各伝熱板１１ａ，１１ｂ、冷却管１５及び熱伝導板１６に密着するように変形する。
【００２５】
前記蓄冷装置１０を搭載した保冷庫においては、冷凍回路の低温冷媒が蓄冷装置１０の冷却管１５に流通し、各伝熱ケース１１内の蓄冷材１２が冷却管１５によって冷却される。これにより、蓄冷材１２が凍結して蓄冷され、保冷庫の送風機２によって庫内空気を循環することにより、庫内空気が蓄冷装置１０によって冷却される。
【００２６】
本実施形態の蓄冷装置１０では、前方の各連結部材１８を各伝熱ケース１１の前端よりも前方に配置し、後方の各連結部材１８を各伝熱ケース１１の後端よりも後方に配置しているので、各連結部材１８の配置スペースが各伝熱ケース１１の上方または下方に位置することがない。即ち、従来のように装置全体の高さが伝熱ケースの上下寸法に連結部材の配置スペースを加えた寸法となる場合に比べ、図７に示すように装置全体の高さ寸法Ｈを大幅に小さくすることができる。従って、蓄冷装置１０を上下方向に小型化することができるので、保冷庫の下部に収容した場合には、庫内の収納スペースを上下方向に広くすることができ、保冷庫の収納効率を格段に向上させることができる。
【００２７】
また、各伝熱ケース１１を保持する保持部材１３を固定部材１４を介して各側板１７に固定することにより、各伝熱ケース１１から延びる各取付片１６ｂのみを各連結部材１８に組付けるようにしたので、長さの異なる計２種類のスペーサ１８ｃ，１８ｄのみによって各取付片１６ｂの間隔を保持することができ、従来のように各伝熱ケース及び冷却管を保持する多種類の支持板を連結部材に取付けたものに比べ、スペーサの種類及び数量を少なくすることができる。これにより、スペーサの配置を間違うことによる組立不良の発生を大幅に減少させることができ、生産性の低下を確実に防止することができる。
【００２８】
尚、前記実施形態では、長さの異なる計２種類のスペーサ１８ｃ，１８ｄを用いたものを示したが、全て同一の長さに形成されたスペーサを用いることも可能である。
【００２９】
【発明の効果】
以上説明したように、請求項１の蓄冷装置によれば、各連結部材の配置スペースが各伝熱ケースの上方または下方に位置することがないので、装置全体の高さ寸法を大幅に小さくすることができ、例えば保冷庫の下部に搭載した場合には、庫内の収納スペースを上下方向に広くすることができ、保冷庫の収納効率を格段に向上させることができる。
【００３０】
また、請求項２の蓄冷装置によれば、請求項１の効果に加え、各連結部材に挿入されるスペーサの種類及び数量を少なくすることができるので、スペーサの配置を間違うことによる組立不良の発生を大幅に減少させることができ、生産性の低下を確実に防止することができる。
【図面の簡単な説明】
【図１】本発明の一実施形態を示す蓄冷装置を備えた保冷庫の側面断面図
【図２】蓄冷装置の斜視図
【図３】蓄冷装置の分解斜視図
【図４】蓄冷装置の要部分解斜視図
【図５】伝熱ケースの分解正面断面図
【図６】伝熱ケースの正面断面図
【図７】蓄冷装置の要部断面側面図
【符号の説明】
１０…蓄冷装置、１１…伝熱ケース、１２…蓄冷材、１３…保持部材、１４…固定部材、１６ｂ…取付片、１８…連結部材、１８ｃ，１８ｄ…スペーサ。
【図１】
2004293923.tif 000003
【図２】
2004293923.tif 000004
【図３】
2004293923.tif 000005
【図４】
2004293923.tif 000006
【図５】
2004293923.tif 000007
【図６】
2004293923.tif 000008
【図７】
2004293923.tif 000009